(57)【要約】【課題】  スキップ時に、視聴中の映像音声の途切れが目立たないようにして、ユーザにスキップ時間を長く感じさせないようにすることができるようにする。【解決手段】  光ディスクに記録された映像音声データを読み出して、読み出された映像音声データを蓄積し、蓄積されている映像音声データを再生して、再生中の映像音声データのスキップが指令されたとき、蓄積されている再生中の映像音声データを継続して再生し、スキップが終了したとき、スキップしたアドレスから映像音声データを読み出して映像音声データの再生を再開するようにする。【選択図】        図３
2007123966.tif 000002
【特許請求の範囲】
【請求項１】
光ディスクに記録された映像音声データを再生するディスク装置であって、
光ディスクに記録された映像音声データを少なくとも２倍速以上で読み出す読出手段と、前記読出手段により読み出された映像音声データを蓄積する蓄積手段と、前記蓄積手段に蓄積されている映像音声データを再生する再生手段と、再生中の映像音声データのスキップを指令するスキップ指令手段と、前記スキップ指令手段により再生中の映像音声データのスキップが指令されたとき、前記蓄積手段に蓄積されている再生中の映像音声データを一定時間継続して再生する再生継続手段と、前記再生継続手段が前記蓄積手段に蓄積されている映像音声データを一定時間継続して再生したとき、前記蓄積手段に蓄積されている映像音声データを消去する消去手段と、スキップが終了したとき、スキップしたアドレスから映像音声データを読み出して前記蓄積手段に蓄積し、前記再生手段を制御して映像音声データの再生を再開する再生再開手段とを備えたことを特徴とするディスク装置。
【請求項２】
光ディスクに記録された映像音声データを再生するディスク装置であって、
光ディスクに記録された映像音声データを読み出す読出手段と、前記読出手段により読み出された映像音声データを蓄積する蓄積手段と、前記蓄積手段に蓄積されている映像音声データを再生する再生手段と、再生中の映像音声データのスキップを指令するスキップ指令手段と、前記スキップ指令手段により再生中の映像音声データのスキップが指令されたとき、前記蓄積手段に蓄積されている再生中の映像音声データを継続して再生する再生継続手段と、スキップが終了したとき、スキップしたアドレスから映像音声データを読み出して前記蓄積手段に蓄積し、前記再生手段を制御して映像音声データの再生を再開する再生再開手段とを備えたことを特徴とするディスク装置。
【請求項３】
前記読出手段は、光ディスクに記録された映像音声データを少なくとも２倍速以上で読み出す読出手段であることを特徴とする請求項２記載のディスク装置。
【請求項４】
前記再生継続手段は、前記蓄積手段に蓄積されている再生中の映像音声データを一定時間継続して再生する再生継続手段であることを特徴とする請求項２記載のディスク装置。
【請求項５】
前記再生継続手段が前記蓄積手段に蓄積されている映像音声データを一定時間継続して再生したとき、前記蓄積手段に蓄積されている映像音声データを消去する消去手段を更に備えたことを特徴とする請求項４記載のディスク装置。
【発明の詳細な説明】
【技術分野】
【０００１】
本発明は、光ディスクに記録された映像音声データを再生するディスク装置に係り、特にスキップ時に、ユーザにスキップ時間を長く感じさせないようにすることができるディスク装置に関する。
【背景技術】
【０００２】
一般に、光ディスクに記録された映像音声データの再生中に、リモコン装置等のスキップキーを操作して再生中の映像音声データの次チャプタ又は前チャプタへスキップをさせて、スキップされたアドレスから光ディスクに記録された映像音声データを再生することができるようになっている。しかし、光ディスクに記録された映像音声データの再生中に、映像音声データのスキップ動作を行うと、光ディスクに記録された映像音声データを光学的に読み出す光ピックアップが光ディスクの目標アドレスに移動され、光ピックアップが光ディスクの目標アドレスに到達するまでの間、映像音声データの再生が停止されて、映像音声データが出力されなくなるため、ユーザが映像音声データのスキップ中のスキップ時間を実際の時間より長く感じるという問題点があった。
背景技術としては、スキップ又はタイムサーチ中に、再生されていたアドレスに対応した静止画データを再生して、静止画ＣＭ（Ｃｏｍｍｅｒｃｉａｌ  Ｍｅｓｓａｇｅ）を表示し、スキップ又はタイムサーチが終了したとき、スキップ又はタイムサーチされたアドレスから本編の再生を再開するようにしたものがあった（例えば、特許文献１参照）。
また、スキップキーが操作されたときに、スキップキーが再度操作されたときに再生されるアドレスの画像データを読み出して、その画像データにモザイク処理等の加工を施して所定短時間再生し、スキップが終了したとき、本編の再生を再開するようにしたものがあった（例えば、特許文献２参照）。
【特許文献１】特開２００２−２９０８９７号公報
【特許文献２】特開２００５−１８２８６９号公報
【発明の開示】
【発明が解決しようとする課題】
【０００３】
しかしながら、背景技術で述べたもののうち前者においては、スキップ又はタイムサーチ中に、再生されていたアドレスに対応した静止画データを再生して、静止画ＣＭを表示し、スキップ又はタイムサーチが終了したとき、スキップ又はタイムサーチされたアドレスから本編の再生を再開することができたが、スキップ中又はタイムサーチ中に、スキップ中又はタイムサーチ中の時間を利用して、再生されていたアドレスに対応した静止画ＣＭを表示するようにしたものであって、上記問題点を解決するようにしたものではなかった。
また、後者においては、スキップキーが操作されたときに、スキップキーが再度操作されたときに再生されるアドレスの画像データを読み出して、その画像データにモザイク処理等の加工を施して所定短時間再生し、スキップが終了したとき、本編の再生を再開することができたが、ユーザがスキップキーを操作してサーチ動作を行った場合に、スキップキーが再度操作されたときに再生される予告画像を表示して、ユーザがスキップキーを連続して操作しないようにしたものであって、上記問題点を解決するようにしたものではなかった。
本発明は、背景技術の有するこのような問題点に鑑みてなされたものであり、その目的とするところは、スキップ時に、視聴中の映像音声の途切れが目立たないようにして、ユーザにスキップ時間を長く感じさせないようにすることができるディスク装置を提供しようとするものである。
【課題を解決するための手段】
【０００４】
上記目的を達成するため本発明においては、光ディスクに記録された映像音声データを再生するディスク装置であって、光ディスクに記録された映像音声データを読み出す読出手段と、前記読出手段により読み出された映像音声データを蓄積する蓄積手段と、前記蓄積手段に蓄積されている映像音声データを再生する再生手段と、再生中の映像音声データのスキップを指令するスキップ指令手段と、前記スキップ指令手段により再生中の映像音声データのスキップが指令されたとき、前記蓄積手段に蓄積されている再生中の映像音声データを継続して再生する再生継続手段と、スキップが終了したとき、スキップしたアドレスから映像音声データを読み出して前記蓄積手段に蓄積し、前記再生手段を制御して映像音声データの再生を再開する再生再開手段とを備える。
前記読出手段は、光ディスクに記録された映像音声データを少なくとも２倍速以上で読み出すようにするとよい。
前記再生継続手段は、前記蓄積手段に蓄積されている再生中の映像音声データを一定時間継続して再生するようにするとよい。
更に、前記再生継続手段が前記蓄積手段に蓄積されている映像音声データを一定時間継続して再生したとき、前記蓄積手段に蓄積されている映像音声データを消去する消去手段を備える。
これらの手段により、スキップ時に、視聴中の映像音声の途切れが目立たないようにして、ユーザにスキップ時間を長く感じさせないようにすることができる。
【発明の効果】
【０００５】
請求項１記載の発明に係るディスク装置によれば、光ディスクに記録された映像音声データを少なくとも２倍速以上で読み出して、読み出された映像音声データを蓄積し、蓄積されている映像音声データを再生して、再生中の映像音声データのスキップが指令されたとき、蓄積されている再生中の映像音声データを一定時間継続して再生し、蓄積されている映像データが一定時間再生されたとき、蓄積されている映像音声データを消去して、スキップが終了したとき、スキップしたアドレスから映像音声データを読み出して蓄積し、映像音声データの再生を再開するようにしているので、映像音声データのスキップを開始したとき、蓄積されている再生中の映像音声データが一定時間継続して再生されるため、スキップ中の映像音声データの再生停止時間が短くなり、視聴中の映像音声の途切れが目立たないようにすることができ、ユーザにスキップ時間を長く感じさせないようにすることができる。
請求項２記載の発明に係るディスク装置によれば、光ディスクに記録された映像音声データを読み出して、読み出された映像音声データを蓄積し、蓄積されている映像音声データを再生して、再生中の映像音声データのスキップが指令されたとき、蓄積されている再生中の映像音声データを継続して再生し、スキップが終了したとき、スキップした目標アドレスから映像音声データを読み出して蓄積し、映像音声データの再生を再開するようにしているので、映像音声データのスキップを開始したとき、蓄積されている再生中の映像音声データが継続して再生されるため、スキップ時に、視聴中の映像音声の途切れが目立たないようにすることができ、ユーザにスキップ時間を長く感じさせないようにすることができる。
請求項３記載の発明に係るディスク装置によれば、光ディスクに記録された映像音声データを少なくとも２倍速以上で読み出すようにしているので、光ディスクから多量の映像音声データが読み出されて蓄積され、蓄積されている再生中の映像音声データが一定時間継続して再生されるため、スキップ時に、視聴中の映像音声の途切れが目立たないようにすることができ、ユーザにスキップ時間を長く感じさせないようにすることができる。
請求項４記載の発明に係るディスク装置によれば、蓄積されている再生中の映像音声データを一定時間継続して再生するようにしているので、映像音声データのスキップを開始したとき、再生中の映像音声データが一定時間継続して再生されるため、スキップ時の映像音声の途切れが目立たないようにすることができ、ユーザにスキップ時間を長く感じさせないようにすることができる。
請求項４記載の発明に係るディスク装置によれば、蓄積されている映像音声データが一定時間継続して再生されたとき、蓄積されている映像音声データを消去するようにしているので、映像音声データの再生再開時に、映像音声データを効率よく蓄積することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置のリモコン装置を示す説明図であり、図３は本発明の一実施例のディスク装置の動作を示す説明図であり、図４は本発明の一実施例のディスク装置の動作を示すフローチャートである。
まず、図１の本発明の一実施例のディスク装置の構成を示すブロック図を基に説明する。
ディスク装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声信号を再生する信号処理回路８と、光ディスク２から読み出された映像音声データを一時的に蓄積するバッファメモリ９と、信号処理回路８により再生された映像音声信号を増幅して、映像音声信号をスピーカ（図示せず）を有するモニタ装置３０に出力する映像音声信号出力回路１０と、ディスク装置１のシステム全体を制御するマイコン１１と、リモコン装置２０から送信された赤外線信号のリモコン信号を受信して、所定の電気信号に変換するリモコン受信部１２とで構成されている。
また、リモコン装置２０には、図２に示すように、光ディスク２に記録された映像音声データの再生を指令する再生キー２０ａ、再生中の映像音声データの次チャプタへのスキップを指令する次スキップキー２０ｂ、再生中の映像音声データの前チャプタへのスキップを指令する前スキップキー２０ｃ等の複数の操作キーが設けられていて、それらの操作キーを操作することによりディスク装置１を所望動作させることができるようになっている。
以上のように構成されたディスク装置について、以下その動作について説明する。
リモコン装置２０の再生キー２０ａの操作により光ディスク２に記録された映像音声データの再生が指令されると、マイコン１１は、サーボ回路６に制御信号を送出して、スピンドルモータ４を駆動して光ディスク２を少なくとも２倍速以上の回転速度で回転させ、スレッドモータ５を駆動して光ピックアップ３を光ディスク２の半径方向にスレッド移動させ、光ピックアップ３により検出されたトラッキング誤差信号、フォーカス誤差信号に基づいて光ピックアップ３のトラッキング、フォーカスをサーボ制御して、光ピックアップ３により光ディスク２に記録された映像音声データを少なくとも２倍速以上で読み出し、信号処理回路８に制御信号を送出して、光ピックアップ３により読み出された映像音声データをバッファメモリ９に蓄積し（図３（ｂ）参照）、バッファメモリ９に蓄積されている映像音声データを通常再生して（図３（ａ）参照）、映像音声信号出力回路１０により映像音声信号を増幅して映像音声信号をモニタ装置３０に出力する。
光ディスク２に記録された映像音声データの再生中に、リモコン装置２０の次スキップキー２０ｂ又は前スキップキー２０ｃの操作により映像音声データのスキップが指令されると、マイコン１１は、信号処理回路８に制御信号を送出して、バッファメモリ９に蓄積されている映像音声データの再生を続け（図３（ａ）参照）、サーボ回路６に制御信号を送出して、スレッドモータ５を駆動して光ピックアップ３を目標アドレスに移動する。
バッファメモリ９に蓄積されている映像音声データの再生時間が一定時間、例えば、０．１秒経過した場合、マイコン１１は、信号処理回路８に制御信号を送出して、バッファメモリ９に蓄積されている映像音声データの再生を停止して（図３（ａ）参照）、バッファメモリ９に蓄積されている映像音声データを消去する（図３（ｂ）参照）。
光ピックアップ３が目標アドレスに到達すると、マイコン１１は、サーボ回路６に制御信号を送出して、スキップしたアドレスから光ディスク２に記録された映像音声データを光ピックアップ３により読み出し、信号処理回路８に制御信号を送出して、光ピックアップ３により読み出された映像音声データをバッファメモリ９に蓄積し（図３（ｂ）参照）、バッファメモリ９に蓄積されている映像音声データの通常再生を再開し（図３（ａ）参照）、映像音声信号出力回路１０により映像音声データの映像音声信号を増幅して映像音声信号をモニタ装置３０に出力する。これにより、映像音声データのスキップを開始したとき、バッファメモリに蓄積されている映像音声データが一定時間続けて再生されるので、スキップ中の映像音声データの再生停止時間が短くなり、視聴中の映像音声の途切れが目立たないようにすることができ、ユーザにスキップ時間を長く感じさせないようにすることができる。
また、図４の本発明の一実施例のディスク装置の動作を示すフローチャートを基に説明する。
光ディスクに記録された映像音声データの再生中に、リモコン装置のスキップキーの操作によりスキップが指令されると、ステップＳ１からステップＳ２に進み、ステップＳ２で、バッファメモリに蓄積されている映像音声データの再生が続けられて、光ピックアップが目標アドレスに移動され、ステップＳ３に進む。
ステップＳ３で、バッファメモリに蓄積されている映像音声データの再生時間が一定時間経過したか否かが判断され、バッファメモリに蓄積されている映像音声データの再生時間が一定時間経過した場合、ステップＳ４に進み、バッファメモリに蓄積されている映像音声データの再生時間が一定時間経過していない場合、ステップＳ２に戻って、ステップＳ２からのステップを繰り返す。
ステップＳ４で、バッファメモリに蓄積されている映像音声データの再生が停止されて、バッファメモリに蓄積されている映像音声データが消去され、ステップＳ５に進む。
ステップＳ５で、光ピックアップの目標アドレスへ移動が続けられ、ステップＳ６に進む。
ステップＳ６で、光ピックアップが目標アドレスに到達したか否かが判断され、光ピックアップが目標アドレスに到達した場合、ステップＳ７に進み、光ピックアップが目標アドレスに到達していない場合、ステップＳ５に戻って、ステップＳ５からステップを繰り返す。
ステップＳ７で、スキップしたアドレスから光ディスクに記録された映像音声データが読み出されて、読み出された映像音声データがバッファメモリに蓄積され、映像音声データの通常再生が再開され、ステップＳ８に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置のリモコン装置を示す説明図である。
【図３】本発明の一実施例のディスク装置の動作を示す説明図である。
【図４】本発明の一実施例のディスク装置の動作を示すフローチャートである。
【符号の説明】
【０００８】
１  ディスク装置
２  光ディスク
３  光ピックアップ
４  スピンドルモータ
５  スレッドモータ
６  サーボ回路
７  ＲＦ増幅回路
８  信号処理回路
９  バッファメモリ
１０  映像音声信号出力回路
１１  マイコン
１２  リモコン受信部
２０  リモコン装置
２０ａ  再生キー
２０ｂ  次スキップキー
２０ｃ  前スキップキー
３０  モニタ装置
【図１】
2007123966.tif 000003
【図２】
2007123966.tif 000004
【図３】
2007123966.tif 000005
【図４】
2007123966.tif 000006